【手続補正書】
【提出日】平成30年7月9日(2018.7.9)
【手続補正１】
【補正対象書類名】明細書
【補正対象項目名】００１１
【補正方法】変更
【補正の内容】
【００１１】
本発明の主題は、
−少なくとも１種のポリエーテルポリオールおよび少なくとも１種のジイソシアネートから得られる少なくとも１種のイソシアネート官能性ポリウレタンポリマーと、
−少なくとも１種の式（Ｉ）のアルジミンと
【化１】
2017528547.tif 000001
（式中、
ｎは２〜６であり、
Ｇは、任意選択によりエーテルまたはウレタン基を含有する、２８〜５，０００ｇ／ｍｏｌの範囲内の分子量のｎ価の脂肪族、アリール脂肪酸部分または脂環式ヒドロカーボン部分であり、
Ｒ１およびＲ２は、同一もしくは異なるＣ１〜Ｃ１２直鎖もしくは分岐鎖アルキルであるか、または、一緒になって、５員〜８員炭素環の一部である二価の直鎖もしくは分岐鎖Ｃ４〜Ｃ１２ヒドロカーボン部分を形成し、ならびに
Ｒ３は、水素または直鎖もしくは分岐鎖Ｃ１〜Ｃ１２アルキルまたはアリールアルキルまたはアルコキシカルボニルである）
を含む一液式湿気硬化型液体塗布防水膜である。
【手続補正２】
【補正対象書類名】明細書
【補正対象項目名】００６７
【補正方法】変更
【補正の内容】
【００６７】
好ましくは、Ｇは、２８〜１，０００ｇ／ｍｏｌ、特に８０〜５００ｇ／ｍｏｌの範囲内の分子量の、任意選択によりエーテル基を含有する二価または三価のヒドロカーボン部分である。
【手続補正３】
【補正対象書類名】明細書
【補正対象項目名】００７４
【補正方法】変更
【補正の内容】
【００７４】
本発明の一実施形態において、Ｇは、エーテル基を含有する８００〜５，０００ｇ／ｍｏｌの範囲内の平均分子量の二価または三価ヒドロカーボン部分、特に、主に１，２−オキシプロピレン単位を含有する、１，０００〜３，０００ｇ／ｍｏｌの範囲内の平均分子量の二価ヒドロカーボン部分であることが好ましい。これらのアルジミンは、特に低い粘度を有する膜を実現する。これらのアルジミンは、２８〜５００ｇ／ｍｏｌの範囲内の分子量を有するアミンから誘導される少なくとも１種の他のブロックアミン硬化剤と組み合わせて用いられることが好ましい。
【手続補正４】
【補正対象書類名】特許請求の範囲
【補正対象項目名】全文
【補正方法】変更
【補正の内容】
【特許請求の範囲】
【請求項１】
−  少なくとも１種のポリエーテルポリオールおよび少なくとも１種のジイソシアネートから得られる少なくとも１種のイソシアネート官能性ポリウレタンポリマーと、
−  少なくとも１種の式（Ｉ）のアルジミンと
【化１】
2017528547.tif 000002
（式中、
ｎは２〜６であり、
Ｇは、任意選択によりエーテルまたはウレタン基を含有する、２８〜５，０００ｇ／ｍｏｌの範囲内の分子量のｎ価の脂肪族、アリール脂肪酸部分または脂環式ヒドロカーボン部分であり、
Ｒ１およびＲ２は、同一もしくは異なるＣ１〜Ｃ１２直鎖もしくは分岐鎖アルキルであるか、または、一緒になって、５員〜８員炭素環の一部である二価の直鎖もしくは分岐鎖Ｃ４〜Ｃ１２ヒドロカーボン部分を形成し、ならびに
Ｒ３は、水素または直鎖もしくは分岐鎖Ｃ１〜Ｃ１２アルキルまたはアリールアルキルまたはアルコキシカルボニルである）
を含む一液式湿気硬化型液体塗布防水膜。
【請求項２】
前記イソシアネート官能性ポリウレタンポリマーを得るための前記ジイソシアネートがＭＤＩまたはＴＤＩである、請求項１に記載の膜。
【請求項３】
前記ポリエーテルポリオールが、エチレンオキシドおよび／またはプロピレンオキシドの重合生成物である、請求項１または２に記載の膜。
【請求項４】
前記式（Ｉ）のアルジミンが、Ｎ，Ｎ’−ビス（３−アセトキシ−２，２−ジメチルプロピリデン）ヘキサメチレン−１，６−ジアミン、Ｎ，Ｎ’−ビス（３−アセトキシ−２，２−ジメチルプロピリデン）−３−アミノエチル−３，５，５−トリメチルシクロヘキシルアミン、４５０〜７５０ｇ／ｍｏｌの範囲内の平均分子量のＮ，Ｎ’−ビス（３−アセトキシ−２，２−ジメチルプロピリデン）ポリオキシプロピレンジアミン、および、７５０〜９００ｇ／ｍｏｌの範囲内の平均分子量を有するＮ，Ｎ’，Ｎ’’−トリス（３−アセトキシ−２，２−ジメチルプロピリデン）ポリオキシプロピレントリアミンからなる群から選択される、請求項１〜３のいずれか一項に記載の膜。
【請求項５】
Ｎ，Ｎ’−ビス（３−アセトキシ−２，２−ジメチルプロピリデン）−３−アミノエチル−３，５，５−トリメチルシクロヘキシルアミンおよび７５０〜９００ｇ／ｍｏｌの範囲内の平均分子量を有するＮ，Ｎ’，Ｎ’’−トリス（３−アセトキシ−２，２−ジメチルプロピリデン）ポリオキシプロピレントリアミンの組み合わせを含有する、請求項４に記載の膜。
【請求項６】
少なくとも１種のさらなるブロックアミン硬化剤を含む、請求項１〜５のいずれか一項に記載の膜。
【請求項７】
前記膜中におけるブロックアミン硬化剤均等物の総量を基準として、少なくとも３０当量％の前記式（Ｉ）のアルジミンを含有する、請求項６に記載の膜。
【請求項８】
前記さらなるブロックアミン硬化剤が、Ｎ，Ｎ’−ビス（２，２−ジメチル−３−ラウロイルオキシプロピリデン）ヘキサメチレン−１，６−ジアミン、Ｎ，Ｎ’−ビス（２，２−ジメチル−３−ラウロイルオキシプロピリデン）−３−アミノエチル−３，５，５−トリメチルシクロヘキシルアミン、７００〜３，６００ｇ／ｍｏｌの範囲内の平均分子量を有するＮ，Ｎ’−ビス（２，２−ジメチル−３−ラウロイルオキシプロピリデン）ポリオキシプロピレンジアミン、および、１，２００〜４，０００ｇ／ｍｏｌの範囲内の平均分子量を有するＮ，Ｎ’，Ｎ’’−トリス（２，２−ジメチル−３−ラウロイルオキシプロピリデン）ポリオキシプロピレントリアミンからなる群から選択されるアルジミンである、請求項６または７に記載の膜。
【請求項９】
前記式（Ｉ）のアルジミンの前記アルジミン均等物とさらなるアルジミンの前記アルジミン均等物との比が、少なくとも５０／５０である、請求項８に記載の膜。
【請求項１０】
−  １５〜７０重量％の前記イソシアネート官能性ポリウレタンポリマー；
−  ２０〜８０重量％の難燃性充填材および顔料を含む充填材；
−  ５〜３０重量％の難燃性可塑剤を含む可塑剤
を含有し、ならびに、
−  触媒、溶剤および紫外線安定剤からなる群から選択される少なくとも１種のさらなる処方成分を含む、
請求項１〜９のいずれか一項に記載の膜。
【請求項１１】
２００ｇ  ＶＯＣ／リットル以下を含有する、請求項１〜１０のいずれか一項に記載の膜。
【請求項１２】
屋根における請求項１〜１１のいずれか一項に記載の膜の使用。
【請求項１３】
−  任意選択により、プライマーおよび／またはアンダーコート、
−  繊維強化メッシュと組み合わされていてもよい、請求項１〜１１のいずれか一項に記載の膜の１つまたは２つ以上の層、ならびに
−  任意選択により、トップコート
からなる防水システム。
【請求項１４】
前記膜の第１の層および任意選択による第２の層は芳香族ジイソシアネート系のものであり、繊維強化メッシュと組み合わされていてもよく、ならびに、前記膜のトップレイヤが、脂肪族ジイソシアネート系の請求項１〜１１のいずれか一項に記載の膜である、２つ以上の層の前記膜を含む請求項１３に記載の防水システム。
【請求項１５】
屋根構造の防水方法であって、
−  液体状態の請求項１〜１１のいずれか一項に記載の膜を前記屋根構造の基材に塗布する工程、
−  前記膜の風乾時間内に、前記膜と繊維強化メッシュとを接触させる工程、及び
−  前記膜を湿気に曝露し、これにより、前記膜を部分的または完全に硬化させて弾性コーティングを得る工程、並びに
−  任意選択により、請求項１〜１１のいずれか一項に記載の膜の第２の層を適用する工程、及び
−  任意選択により、前記硬化した膜にトップコートを適用する工程
を含む方法。